【手続補正書】
【提出日】平成25年10月2日(2013.10.2)
【手続補正１】
【補正対象書類名】特許請求の範囲
【補正対象項目名】請求項１
【補正方法】変更
【補正の内容】
【請求項１】
回路基板の実装面上に配されるプラグコネクタと、他の回路基板の実装面上に配され該実装面に対して直角な方向をコネクタ挿抜方向として上記プラグコネクタが嵌合接続される相手コネクタとしてのレセプタクルコネクタとを有する電気コネクタ組立体であって、上記レセプタクルコネクタは、コネクタ嵌合状態で上記プラグコネクタの端子の接触部に接触する対応接触部が形成された複数の相手端子と、上記回路基板の実装面に対して平行な一方向を配列方向として上記複数の相手端子の対応接触部が配列されるように該相手端子を保持するレセプタクルハウジングとを有しており、該レセプタクルハウジングは、上記対応接触部の配列方向に延びる二つの側壁と、上記配列方向に対して直角に延び側壁の端部同士を連結する二つの端壁とを有し、該側壁と端壁とによって囲まれた空間が、プラグコネクタを受け入れるための受入空間として形成されており、上記プラグコネクタは、複数の端子と、上記配列方向と同じ方向で該複数の端子の接触部が配列されるように該端子を保持するプラグハウジングとを有しており、該プラグハウジングは、上記レセプタクルハウジングの受入空間内へ嵌入される嵌合部を有し、該嵌合部に、コネクタ嵌合状態で上記レセプタクルハウジングの側壁に対面する側面と、該レセプタクルハウジングの端壁に対面する端面とが形成されている電気コネクタ組立体において、上記プラグコネクタに設けられた複数の端子は、上記相手端子の対応接触部の配列方向と同一方向で両端に位置し上記プラグハウジングの嵌合部の端部側で保持される端部側端子を有しており、該端部側端子は、金属板を一部材として屈曲して作られており、上記嵌合部の側面に沿って延びるプラグ側板部と、上記嵌合部の端面に沿って延びるプラグ端板部とを有し、上記プラグ側板部の板面に接触部が形成されているとともに、上記プラグ端板部にロック部が形成されており、上記レセプタクルコネクタに設けられた複数の相手端子は、上記配列方向で両端に位置し上記レセプタクルハウジングの端部側で保持される端部側相手端子を有しており、該端部側相手端子は、金属板を一部材として屈曲して作られており、上記レセプタクルハウジングの側壁に沿って延びるレセプタクル側板部と、該レセプタクルハウジングの端壁に沿って延びるレセプタクル端板部とを有し、上記レセプタクル側板部の板面に、上記プラグコネクタの端部側端子の接触部に接触する対応接触部が形成されているとともに、上記レセプタクル端板部に、上記プラグコネクタの端部側端子のロック部に対してコネクタ挿抜方向で係止可能な被ロック部が形成されていることを特徴とする電気コネクタ組立体。
【手続補正２】
【補正対象書類名】特許請求の範囲
【補正対象項目名】請求項５
【補正方法】変更
【補正の内容】
【請求項５】
回路基板の実装面上に配され該実装面に対して直角な方向をコネクタ挿抜方向として、他の回路基板の実装面上に配される相手コネクタとしてのレセプタクルコネクタに嵌合接続されるプラグコネクタであって、上記プラグコネクタは、コネクタ嵌合状態で上記レセプタクルコネクタに設けられた相手端子の対応接触部に接触する接触部が形成された複数の端子と、上記回路基板の実装面に対して平行な一方向を配列方向として上記複数の端子の接触部が配列されるように該端子を保持するプラグハウジングとを有しており、該プラグハウジングは、上記レセプタクルハウジングの受入空間内へ嵌入される嵌合部を有し、該嵌合部に、上記配列方向に延びる側面と、該配列方向に対して直角に延びる端面とが形成されているプラグコネクタにおいて、上記プラグコネクタに設けられた複数の端子は、上記配列方向での両端に位置し上記プラグハウジングの嵌合部の端部側で保持される端部側端子を有しており、該端部側端子は、金属板を一部材として屈曲して作られており、上記嵌合部の側面に沿って延びるプラグ側板部と、上記嵌合部の端面に沿って延びるプラグ端板部とを有し、上記プラグ側板部の板面に、上記端部側端子に対応して上記レセプタクルコネクタに設けられた端部側相手端子の対応接触部に接触する接触部が形成されているとともに、上記プラグ端板部に、上記レセプタクルコネクタの端部側相手端子に対してコネクタ挿抜方向で係止可能なロック部が形成されていることを特徴とするプラグコネクタ。
【手続補正３】
【補正対象書類名】特許請求の範囲
【補正対象項目名】請求項６
【補正方法】変更
【補正の内容】
【請求項６】
回路基板の実装面上に配され該実装面に対して直角な方向をコネクタ挿抜方向として、他の回路基板の実装面に配されるプラグコネクタが嵌合接続される相手コネクタとしてのレセプタクルコネクタであって、上記レセプタクルコネクタは、コネクタ嵌合状態で上記プラグコネクタの端子の接触部に接触する対応接触部が形成された複数の相手端子と、上記回路基板の実装面に対して平行な一方向を配列方向として上記複数の相手端子の対応接触部が配列されるように該相手端子を保持するレセプタクルハウジングとを有しており、該レセプタクルハウジングは、上記対応接触部の配列方向に延びる二つの側壁と、上記配列方向に対して直角に延び側壁の端部同士を連結する二つの端壁とを有し、該側壁と端壁とによって囲まれた空間が、プラグコネクタを受け入れるための受入空間として形成されているレセプタクルコネクタにおいて、上記レセプタクルコネクタに設けられた複数の相手端子は、上記配列方向での両端に位置上記レセプタクルハウジングの端部側で保持される端部側相手端子を有しており、該端部側相手端子は、金属板を一部材として屈曲して作られており、上記レセプタクルハウジングの側壁に沿って延びるレセプタクル側板部と、該レセプタクルハウジングの端壁に沿って延びるレセプタクル端板部とを有し、上記レセプタクル側板部の板面に、上記端部側相手端子に対応して上記プラグコネクタに設けられた端部側端子の接触部に接触する対応接触部が形成されているとともに、上記レセプタクル端板部に、上記プラグコネクタの端部側端子に対してコネクタ挿抜方向で係止可能な被ロック部が形成されていることを特徴とするレセプタクルコネクタ。
【手続補正４】
【補正対象書類名】明細書
【補正対象項目名】００１１
【補正方法】変更
【補正の内容】
【００１１】
かかる電気コネクタ組立体において、本発明は、上記プラグコネクタに設けられた複数の端子は、上記相手端子の対応接触部の配列方向と同一方向で両端に位置し上記プラグハウジングの嵌合部の端部側で保持される端部側端子を有しており、該端部側端子は、金属板を一部材として屈曲して作られており、上記嵌合部の側面に沿って延びるプラグ側板部と、上記嵌合部の端面に沿って延びるプラグ端板部とを有し、上記プラグ側板部の板面に接触部が形成されているとともに、上記プラグ端板部にロック部が形成されており、上記レセプタクルコネクタに設けられた複数の相手端子は、上記配列方向で両端に位置し上記レセプタクルハウジングの端部側で保持される端部側相手端子を有しており、該端部側相手端子は、金属板を一部材として屈曲して作られており、上記レセプタクルハウジングの側壁に沿って延びるレセプタクル側板部と、該レセプタクルハウジングの端壁に沿って延びるレセプタクル端板部とを有し、上記レセプタクル側板部の板面に、上記プラグコネクタの端部側端子の接触部に接触する対応接触部が形成されているとともに、上記レセプタクル端板部に、上記プラグコネクタの端部側端子のロック部に対してコネクタ挿抜方向で係止可能な被ロック部が形成されていることを特徴としている。
【手続補正５】
【補正対象書類名】明細書
【補正対象項目名】００２１
【補正方法】変更
【補正の内容】
【００２１】
かかるプラグコネクタにおいて、本発明では、上記プラグコネクタに設けられた複数の端子は、上記配列方向での両端に位置し上記プラグハウジングの嵌合部の端部側で保持される端部側端子を有しており、該端部側端子は、金属板を一部材として屈曲して作られており、上記嵌合部の側面に沿って延びるプラグ側板部と、上記嵌合部の端面に沿って延びるプラグ端板部とを有し、上記プラグ側板部の板面に、上記端部側端子に対応して上記レセプタクルコネクタに設けられた端部側相手端子の対応接触部に接触する接触部が形成されているとともに、上記プラグ端板部に、上記レセプタクルコネクタの端部側相手端子に対してコネクタ挿抜方向で係止可能なロック部が形成されていることを特徴としている。
【手続補正６】
【補正対象書類名】明細書
【補正対象項目名】００２３
【補正方法】変更
【補正の内容】
【００２３】
かかるレセプタクルコネクタにおいて、本発明では、上記レセプタクルコネクタに設けられた複数の相手端子は、上記配列方向での両端に位置上記レセプタクルハウジングの端部側で保持される端部側相手端子を有しており、該端部側相手端子は、金属板を一部材として屈曲して作られており、上記レセプタクルハウジングの側壁に沿って延びるレセプタクル側板部と、該レセプタクルハウジングの端壁に沿って延びるレセプタクル端板部とを有し、上記レセプタクル側板部の板面に、上記端部側相手端子に対応して上記プラグコネクタに設けられた端部側端子の接触部に接触する対応接触部が形成されているとともに、上記レセプタクル端板部に、上記プラグコネクタの端部側端子に対してコネクタ挿抜方向で係止可能な被ロック部が形成されていることを特徴としている。